(57)【要約】【課題】  大きくなったクロストークを低減する基板内蔵型コネクタを提供することにある。【解決手段】  内部にケーブル信号線７と、グランド線８に接続する基板２を備えると共に、その基板２の信号配線３の間にグランド４が形成されたコプレナー構造に形成される基板内蔵型コネクタにおいて、上記基板２を覆うコネクタカバー１０を金属で形成すると共に、その金属製のコネクタカバー１０をグランド５、６に接続し、そのコネクタカバー１０の天井面と基板２の実装面との距離を２ｍｍ以下としたものである。【選択図】  図１
2005190924.tif 000002
【特許請求の範囲】
【請求項１】
内部にケーブル信号線とグランド線に接続する基板を備えると共に、その基板の信号配線の間にグランドが形成されたコプレナー構造に形成される基板内蔵型コネクタにおいて、上記基板を覆うコネクタカバーを金属で形成すると共に、その金属製のコネクタカバーを上記グランドに接続し、そのコネクタカバーの天井面と基板の実装面との距離を２ｍｍ以下としたことを特徴とする基板内蔵型コネクタ。
【請求項２】
上記基板は、ケーブル信号線と接続する信号配線の間に中央グランドを有し、それら信号配線の外側に側部グランドを有し、それら信号配線にケーブル信号線が実装されると共に、中央グランドにグランド線が実装され、かつ側部グランドが金属製のコネクタカバーと接続される請求項１記載の基板内蔵型コネクタ。
【請求項３】
上記コネクタカバーの上記天井面には、基板のグランド上に実装されたグランド線に向くよう、かつその両側の信号線間を仕切るように、突起が一体に形成される請求項１または２記載の基板内蔵型コネクタ。
【発明の詳細な説明】
【技術分野】
【０００１】
本発明は、信号配線の間にグランドが形成されたコプレナー構造に基板が形成される基板内蔵型コネクタ、特にクロストーク低減を目的とした基板内蔵型コネクタに関するものである。
【背景技術】
【０００２】
図４に示すように、従来のコプレナー構造基板５１は、基板誘電体５２の上面に信号線５３を２本有し、これら信号線５３の間にグランド５４ｃを有し、信号線５３の外側にグランド５４ｓを有し、また基板誘電体５２の下面にもグランド５４ｂを有して構成される。このコプレナー構造基板５１は、信号線５３間のグランド５４ｃがクロストークを低減する構造となっている。
【０００３】
また、コネクタに内蔵される基板は、マイクロストリップラインのようなクロストークを低減させる伝送路を実装し、伝送路の幅、基板の材質等を適宜選択して、基板内蔵型コネクタとしている（例えば、特許文献１参照）。
【０００４】
【特許文献１】特開平７−６８２３号公報
【発明の開示】
【発明が解決しようとする課題】
【０００５】
しかしながら、従来のコプレナー構造をコネクタ内部の基板に使用するには、小型の基板に実装しなくてはならないため、信号線間の距離が近くなり、信号線の間に設けられたグランドも細くなってしまい、クロストークが大きくなるという問題点がある。
【０００６】
そこで本発明の目的は、上記課題を解決し、大きくなったクロストークを低減することができる基板内蔵型コネクタを提供することにある。
【課題を解決するための手段】
【０００７】
上記目的を達成するために、請求項１の発明は、内部にケーブル信号線とグランド線に接続する基板を備えると共に、その基板の信号配線の間にグランドが形成されたコプレナー構造に形成される基板内蔵型コネクタにおいて、上記基板を覆うコネクタカバーを金属で形成すると共に、その金属製のコネクタカバーを上記グランドに接続し、そのコネクタカバーの天井面と基板の実装面との距離を２ｍｍ以下とする基板内蔵型コネクタである。
【０００８】
また請求項２の発明は、基板は、ケーブル信号線と接続する信号配線の間に中央グランドを有し、それら信号配線の外側に側部グランドを有し、それら信号配線にケーブル信号線が実装されると共に、中央グランドにグランド線が実装され、かつ側部グランドが金属製のコネクタカバーと接続される請求項１記載の基板内蔵型コネクタである。
【０００９】
また請求項３の発明は、上記コネクタカバーの上記天井面には、基板のグランド上に実装されたグランド線に向くよう、かつその両側の信号線間を仕切るように、突起が一体に形成される請求項１または２記載の基板内蔵型コネクタである。
【発明の効果】
【００１０】
本発明によれば、クロストークを低減させることができるという優れた効果を発揮する。
【発明を実施するための最良の形態】
【００１１】
以下、本発明の好適な一実施形態を添付図面に基づいて詳述する。
【００１２】
図１は本実施の形態に係る基板内蔵型コネクタの斜視図である。
【００１３】
図１に示すように、コネクタ２１はコプレナー構造基板１を内蔵している。コプレナー構造基板１は、基板２の上面に信号線３を２本有し、両信号線３の間に中央グランド４を有し、それら信号線３の外側には側部グランド５を有し、また基板２の下面には下部グランド６を有し、構成される。
【００１４】
ケーブル信号線７は、基板２の信号線３に接続するよう、はんだ付けされている。ケーブルのグランド線８は、中央グランド４に接続するよう、はんだ付けされている。また各信号線３と中央グランド４には、それぞれＬ字型のコネクタピン９が接続されている。
【００１５】
コプレナー構造基板１を覆うコネクタカバー１０は金属で形成され、側部グランド５と下部グランド６と電気的に接続されている。コネクタカバー１０は箱形に形成され、その前後に、コネクタピン９を露出させるための開口部１１と、ケーブル信号線７とグランド線８を挿置させるための開口部１２が形成されている。またコネクタカバー１０は、例えばプラスチックで形成して、内部壁面全体を金属でコーティングするようにしてもよい。
【００１６】
ケーブル信号線７に伝送される信号は、基板２の信号線３からコネクタピン９を介して、そのコネクタピン９に接続される外部端子を介して各種機器に伝送される。その逆に各種機器から伝送される信号は外部端子を介して、コネクタピン９から基板２の信号線３を介してケーブル信号線７に伝送される。
【００１７】
本発明においては、金属シールドであるコネクタカバー１０の天井面と基板２の実装面との距離ｄを２ｍｍ以下として、信号線３の間に生じる浮遊容量成分を低減させ、クロストークを低減させたものである。
【００１８】
以下、これを図２（ａ）、（ｂ）を用いて説明する。
【００１９】
図２（ａ）は、本発明の構造と従来の構造の、近端クロストークの比較結果を示し、図２（ｂ）は、本発明の構造と従来の構造の、遠端クロストークの比較結果を示す。
【００２０】
図２（ａ）、（ｂ）において、縦軸はクロストークの大きさを示し、横軸は信号の立ち上がり時間を示している。図２（ａ）において、３１は本発明の近端クロストーク特性を、３２は従来例の近端クロストーク特性を示している。また図２（ｂ）において、３３は本発明の遠端クロストーク特性を、３４は従来例の遠端クロストーク特性を示している。
【００２１】
ここで図２（ａ）の近端クロストークは、並行な信号線３を走る信号が、反対方向に伝送されたときに発生（プラス側）し、図２（ｂ）の遠端クロストークは、並行な信号線３を走る信号が、同一方向に伝送されたときに発生（マイナス側）する。
【００２２】
図２（ａ）に示すように、近端クロストークは、従来例３２では立ち上がり時間１００ピコ秒付近で４．０％発生しているが、本発明３１では１．１％に低減している。
【００２３】
また図２（ｂ）に示すように、遠端クロストークは、従来例３４では立ち上がり時間１００ピコ秒付近で２．９％発生しているが、本発明３３では１．７％に低減している。
【００２４】
上記の結果を表１に示す。
【００２５】
【表１】
2005190924.tif 000003
【００２６】
以上の結果から、コプレナー構造基板１を覆う金属製のコネクタカバー１０を設け、このコネクタカバー１０を側部グランド５と下部グランド６に接続し、コネクタ２１内部の基板２の実装面と金属シールドであるコネクタカバー１０の天井面との距離を２ｍｍ以下とすることで、コネクタカバー１０と信号線３の電界結合が強化されることにより、信号線３間の浮遊容量成分が減少し、信号線３間のクロストークを低減することができる。
【００２７】
図３は本発明の他の実施の形態を示す一部正面断面図である。
【００２８】
図３に示すように、コネクタ２２は、基板２上の信号線３間の中央グランド４に沿うように、かつ信号線３間を仕切るように、金属製のコネクタカバー１０の天井面に突起１１が一体に形成したものである。
【００２９】
よってコネクタ２２は、突起１３が形成されることにより、コネクタカバー１０と信号線３の電界結合はより強化され、信号線３間の浮遊容量成分が更に減少し、信号線３間のクロストークを更に低減することができる。
【００３０】
以上、本発明の実施の形態を説明したが、本発明は上述の実施の形態に限定されるものでなく、例えば信号線３は２本に限らず、複数本接続した高密度配線を必要とする表面実装基板のクロストーク低減に応用可能である。
【図面の簡単な説明】
【００３１】
【図１】本発明の実施の形態に係る基板内蔵型コネクタ斜視図である。
【図２】本発明と従来例の近端クロストーク（図２（ａ））と、遠端クロストーク（図２（ｂ））の比較結果を示す図である。
【図３】本発明の他の実施の形態を示す一部正面断面図である。
【図４】従来のコプレナー構造を示す斜視図である。
【符号の説明】
【００３２】
１  コプレナー構造基板
２  基板
３  信号線
４  中央グランド
５  側部グランド
６  下部グランド
７  ケーブル信号線
８  グランド線
１０  コネクタカバー
１３  突起
２１  コネクタ
【図１】
2005190924.tif 000004
【図２】
2005190924.tif 000005
【図３】
2005190924.tif 000006
【図４】
2005190924.tif 000007